(57)【要約】【課題】中間転写ベルトに対して印刷媒体が接触することに起因して発生する画質劣化を抑制する。【解決手段】画像形成装置は、感光体と、感光体に露光して静電潜像を形成する露光部と、静電潜像に基づいて感光体にトナーを付着させる現像部と、感光体からトナーが転写され、転写されたトナーを画像形成媒体上に転写する中間転写ベルトと、画像形成媒体上への転写後に中間転写ベルトに残留する残留トナーを中間転写ベルトから除去する清掃部と、校正用濃度センサを有し、中間転写ベルト上の所定位置に校正用パッチを形成し、校正用パッチの濃度を校正用濃度センサで計測して校正処理を実行する校正部とを備える。校正部は、所定位置におけるトナー印字率を積算してトナー積算印字率を計算し、トナー積算印字率と予め設定されている閾値とを比較し、トナー積算印字率が閾値未満であるとの判断に基づいて所定位置に光沢低減用のトナー像を形成する。【選択図】図１
2019040125.tif 000002
【特許請求の範囲】
【請求項１】
画像形成媒体上に画像を形成する画像形成装置であって、
感光体と、前記感光体に露光して静電潜像を形成する露光部と、前記静電潜像に基づいて前記感光体にトナーを付着させる現像部と、
前記感光体から前記トナーが転写され、前記転写されたトナーを前記画像形成媒体上に転写する中間転写ベルトと、
前記画像形成媒体上への転写後に前記中間転写ベルトに残留する残留トナーを前記中間転写ベルトから除去する清掃部と、
校正用濃度センサを有し、前記中間転写ベルト上の所定位置に校正用パッチを形成し、前記校正用パッチの濃度を前記校正用濃度センサで計測して校正処理を実行する校正部と、
を備え、
前記校正部は、前記所定位置におけるトナー印字率を積算してトナー積算印字率を計算し、前記トナー積算印字率と予め設定されている閾値とを比較し、前記トナー積算印字率が前記閾値未満であるとの判断に基づいて前記所定位置に光沢低減用のトナー像を形成する画像形成装置。
【請求項２】
請求項１記載の画像形成装置であって、
前記中間転写ベルトは、ウレタン系材料を含む弾性材料を使用して構成されている画像形成装置。
【請求項３】
請求項１又は２に記載の画像形成装置であって、
前記校正部は、前記トナー積算印字率が前記閾値未満であるとの判断の後において、前記画像の形成の非実行時に前記光沢低減用のトナー像を形成する画像形成装置。
【請求項４】
請求項３記載の画像形成装置であって、さらに、
前記校正部は、前記校正処理の開始に応じて、前記校正処理の前処理として前記光沢低減用のトナー像を形成する画像形成装置。
【請求項５】
請求項１乃至４のいずれか１項に記載の画像形成装置であって、
前記校正用濃度センサは、正反射光と拡散反射光とを検出し、比較的に正反射光を多く検知する第１の受光部と、比較的に拡散反射光を多く検知する第２の受光部とを有し、
前記校正部は、前記第１の受光部の検出値と前記第２の受光部の検出値とを使用して前記校正用パッチの濃度を計測する濃度計測モードと、前記第１の受光部の検出値と前記第２の受光部の検出値とを使用して前記中間転写ベルトの光沢度を計測する光沢度計測モードとを有し、前記計測された光沢度に基づいて前記閾値を調整する画像形成装置。
【請求項６】
請求項１乃至５のいずれか１項に記載の画像形成装置であって、
前記トナーは、前記中間転写ベルトの光沢を低減させる外添剤を含んでいる画像形成装置。
【請求項７】
画像形成媒体上に画像を形成する画像形成方法であって、
感光体と、前記感光体に露光して静電潜像を形成する露光部とを用い、前記静電潜像に基づいて前記感光体にトナーを付着させる現像工程と、
前記感光体から前記トナーを中間転写ベルトに転写し、前記中間転写ベルトに転写されたトナーを前記画像形成媒体上に転写する中間転写工程と、
前記画像形成媒体上への転写後に前記中間転写ベルトに残留する残留トナーを前記中間転写ベルトから除去する清掃工程と、
校正用濃度センサを用い、前記中間転写ベルト上の所定位置に校正用パッチを形成し、前記校正用パッチの濃度を前記校正用濃度センサで計測して校正処理を実行する校正工程と、
を備え、
前記校正工程は、前記所定位置におけるトナー印字率を積算してトナー積算印字率を計算し、前記トナー積算印字率と予め設定されている閾値とを比較し、前記トナー積算印字率が前記閾値未満であるとの判断に基づいて前記所定位置に光沢低減用のトナー像を形成する工程を含む画像形成方法。
【請求項８】
画像形成媒体上に画像を形成する画像形成装置を制御するための画像形成プログラムであって、
前記画像形成装置は、感光体と、前記感光体に露光して静電潜像を形成する露光部と、前記静電潜像に基づいて前記感光体にトナーを付着させる現像部と、前記感光体から前記トナーが転写され、前記転写されたトナーを前記画像形成媒体上に転写する中間転写ベルトと、前記画像形成媒体上への転写後に前記中間転写ベルトに残留する残留トナーを前記中間転写ベルトから除去する清掃部と、校正用濃度センサとを有し、
前記画像形成プログラムは、前記校正用濃度センサを用い、前記中間転写ベルト上の所定位置に校正用パッチを形成し、前記校正用パッチの濃度を前記校正用濃度センサで計測して校正処理を実行する校正部として前記画像形成装置を機能させ、
前記校正部は、前記所定位置におけるトナー印字率を積算してトナー積算印字率を計算し、前記トナー積算印字率と予め設定されている閾値とを比較し、前記トナー積算印字率が前記閾値未満であるとの判断に基づいて前記所定位置に光沢低減用のトナー像を形成する画像形成プログラム。
【発明の詳細な説明】
【技術分野】
【０００１】
本発明は、画像形成装置、画像形成方法及び画像形成プログラムに関し、特に校正技術に関する。
【背景技術】
【０００２】
画像形成装置には、感光体ドラムに形成された各色のトナー像を中間転写ベルトに順次一次転写し、各色のトナー像が中間転写ベルトに重ね合わせられたカラートナー像を記録媒体に二次転写するものがある。この際、中間転写ベルト上の未転写の残留トナーは、クリーニング装置で除去される。ところが、印刷枚数が増えるにつれてクリーニング装置で除去できなきなかった付着物、たとえばトナーに含まれている外添剤などが中間転写ベルト上に徐々に固着し、画像劣化の要因となっていた。このような問題に対して、特許文献１は、クリーニング装置とは別に設けられ、クリーニング装置で除去されなかった付着物を中間転写ベルトから除去する除去手段の装備を提案している。これにより、クリーニング装置で除去されなかった付着物による不具合を防止、又は低減させ、中間転写ベルトを長期間にわたって使用可能にできるとしている。
【先行技術文献】
【特許文献】
【０００３】
【特許文献１】特開２００６−１５４３７４号公報
【発明の概要】
【発明が解決しようとする課題】
【０００４】
このように、従来は、中間転写ベルトに対してトナーが付着する点に着目した課題に注目される一方、中間転写ベルトに対して印刷媒体が接触することに起因する問題点に対しては十分な検討がなされていなかった。
【０００５】
本発明は、このような状況に鑑みてなされたものであり、中間転写ベルトに対して印刷媒体が接触することに起因して発生する画質劣化を抑制する技術を提供することを目的とする。
【課題を解決するための手段】
【０００６】
本発明は、画像形成媒体上に画像を形成する画像形成装置を提供する。前記画像形成装置は、感光体と、前記感光体に露光して静電潜像を形成する露光部と、前記静電潜像に基づいて前記感光体にトナーを付着させる現像部と、前記感光体から前記トナーが転写され、前記転写されたトナーを前記画像形成媒体上に転写する中間転写ベルトと、前記画像形成媒体上への転写後に前記中間転写ベルトに残留する残留トナーを前記中間転写ベルトから除去する清掃部と、校正用濃度センサを有し、前記中間転写ベルト上の所定位置に校正用パッチを形成し、前記校正用パッチの濃度を前記校正用濃度センサで計測して校正処理を実行する校正部とを備え、前記校正部は、前記所定位置におけるトナー印字率を積算してトナー積算印字率を計算し、前記トナー積算印字率と予め設定されている閾値とを比較し、前記トナー積算印字率が前記閾値未満であるとの判断に基づいて前記所定位置に光沢低減用のトナー像を形成する。
【０００７】
本発明は、画像形成媒体上に画像を形成する画像形成方法を提供する。前記画像形成方法は、感光体と、前記感光体に露光して静電潜像を形成する露光部とを用い、前記静電潜像に基づいて前記感光体にトナーを付着させる現像工程と、前記感光体から前記トナーを中間転写ベルトに転写し、前記中間転写ベルトに転写されたトナーを前記画像形成媒体上に転写する中間転写工程と、前記画像形成媒体上への転写後に前記中間転写ベルトに残留する残留トナーを前記中間転写ベルトから除去する清掃工程と、校正用濃度センサを用い、前記中間転写ベルト上の所定位置に校正用パッチを形成し、前記校正用パッチの濃度を前記校正用濃度センサで計測して校正処理を実行する校正工程とを備え、前記校正工程は、前記所定位置におけるトナー印字率を積算してトナー積算印字率を計算し、前記トナー積算印字率と予め設定されている閾値とを比較し、前記トナー積算印字率が前記閾値未満であるとの判断に基づいて前記所定位置に光沢低減用のトナー像を形成する工程を含む。
【０００８】
本発明は、画像形成媒体上に画像を形成する画像形成装置を制御するための画像形成プログラムを提供する。前記画像形成プログラムは、前記画像形成装置は、感光体と、前記感光体に露光して静電潜像を形成する露光部と、前記静電潜像に基づいて前記感光体にトナーを付着させる現像部と、前記感光体から前記トナーが転写され、前記転写されたトナーを前記画像形成媒体上に転写する中間転写ベルトと、前記画像形成媒体上への転写後に前記中間転写ベルトに残留する残留トナーを前記中間転写ベルトから除去する清掃部と、校正用濃度センサとを有し、前記画像形成プログラムは、前記校正用濃度センサを用い、前記中間転写ベルト上の所定位置に校正用パッチを形成し、前記校正用パッチの濃度を前記校正用濃度センサで計測して校正処理を実行する校正部として前記画像形成装置を機能させ、前記校正部は、前記所定位置におけるトナー印字率を積算してトナー積算印字率を計算し、前記トナー積算印字率と予め設定されている閾値とを比較し、前記トナー積算印字率が前記閾値未満であるとの判断に基づいて前記所定位置に光沢低減用のトナー像を形成する。
【発明の効果】
【０００９】
本発明によれば、中間転写ベルトに対して印刷媒体が接触することに起因して発生する画質劣化を抑制することができる。
【図面の簡単な説明】
【００１０】
【図１】本発明の一実施形態に係る画像形成装置１の機能構成を示すブロックダイアグラムである。
【図２】一実施形態に係る画像形成装置１の全体構成を示す断面図である。
【図３】一実施形態に係る中間転写ベルト２７を示す説明図である。
【図４】一実施形態に係る校正用濃度センサ２８の構成を示している。
【図５】一実施形態に係る画像形成装置１における光沢管理処理の内容を示すフローチャートである。
【発明を実施するための形態】
【００１１】
図１は、本発明の一実施形態に係る画像形成装置１の機能構成を示すブロックダイアグラムである。画像形成装置１は、制御部１０と、画像形成部２０と、記憶部４０と、画像読取部５０と、定着部８０とを備えている。画像読取部５０は、原稿から画像を読み取ってデジタルデータである画像データＩＤを生成する。
【００１２】
画像形成部２０は、色変換処理部２１と、ハーフトーン処理部２２と、校正用濃度センサ２８と、露光部２９と、感光体ドラム（像担持体）３０ｃ〜３０ｋと、現像部１００ｃ〜１００ｋ、帯電部２５ｃ〜２５ｋとを有している。色変換処理部２１は、ＲＧＢデータである画像データＩＤをＣＭＹＫ画像データに色変換する。ハーフトーン処理部２２は、ＣＭＹＫ画像データにハーフトーン処理を実行してＣＭＹＫのハーフトーンデータを生成する。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。
【００１４】
記憶部４０は、非一時的な記録媒体であるハードディスクドライブやフラッシュメモリー等からなる記憶装置で、制御部１０が実行する処理の制御プログラム（画像形成プログラム）やデータを記憶する。記憶部４０は、本実施形態では、さらにＣＭＹＫ階調校正用調整パッチや光沢低減用のトナー像を形成するための校正用画像データＣＤと、トナー積算印字率ＴＤと、光沢度テーブルＧＴとを格納している。トナー積算印字率ＴＤ及び光沢度テーブルＧＴの内容については後述する。
【００１５】
図２は、一実施形態に係る画像形成装置１の全体構成を示す断面図である。本実施形態の画像形成装置１は、タンデム型のカラープリンターである。画像形成装置１は、その筐体７０内に、マゼンタ、シアン、イエロー、及びブラックの各色に対応させて感光体ドラム（像担持体）３０ｍ、３０ｃ、３０ｙ及び３０ｋが一列に配置されている。感光体ドラム３０ｍ、３０ｃ、３０ｙ及び３０ｋのそれぞれに隣接して、現像部１００ｍ、１００ｃ、１００ｙ及び１００ｋが配置されている。
【００１６】
感光体ドラム３０ｍ、３０ｃ、３０ｙ及び３０ｋには、露光部２９から各色用のレーザー光Ｌｍ、Ｌｃ、Ｌｙ及びＬｋが照射（露光）される。この照射によって、感光体ドラム３０ｍ、３０ｃ、３０ｙ及び３０ｋに静電潜像が形成される。現像部１００ｍ、１００ｃ、１００ｙ及び１００ｋは、トナーを攪拌しながら、感光体ドラム３０ｍ、３０ｃ、３０ｙ及び３０ｋの表面に形成された静電潜像にトナーを付着させる。これにより、現像工程が完了し、感光体ドラム３０ｃ〜３０ｋの表面に各色のトナー像が形成される。
【００１７】
画像形成装置１は、無端状の中間転写ベルト２７を有している。中間転写ベルト２７は、ウレタン系材料を含み、それをベースとする弾性ベルトとして構成されている。中間転写ベルト２７は、テンションローラ２４、駆動ローラ２６ａ及び従動ローラ２６ｂに張架されている。中間転写ベルト２７は、駆動ローラ２６ａの回転によって駆動方向Ｄの方向に循環駆動させられる。
【００１８】
感光体ドラム３０ｋの上流位置において、中間転写ベルト２７を挟んで従動ローラ２６ｂに対抗する位置にクリーニング装置２００が配置されている。クリーニング装置２００は、微細な繊維が植えられ、高速回転するファーブラシ２１０を有している。ファーブラシ２１０は、ブラシ先端の掻き取り力で中間転写ベルト２７上のトナーを機械的に除去することができる。このように、画像形成装置１は、中間転写ベルト２７に当接するファーブラシ２１０を使用するブラシクリーニング方式を採用している。クリーニング装置２００は、清掃部とも呼ばれる。
【００１９】
感光体ドラム３０ｋでは、ブラックのトナー像は、感光体ドラム３０ｋと一次転写ローラ２３ｋとで中間転写ベルト２７を挟み、中間転写ベルト２７が循環駆動させられることによって中間転写ベルト２７に一次転写される。この点は、シアン、イエロー、マゼンタの３色についても同様である。中間転写ベルト２７の表面には、所定のタイミングで相互に重ね合わせられるように一次転写が行われることによってフルカラートナー像が形成される。
【００２０】
フルカラートナー像は、その後、給紙カセット６０から供給された印刷用紙Ｐに二次転写され、定着部８０の定着ローラ対８１によって印刷用紙Ｐに定着される。校正用濃度センサ２８は、一次転写が完了し、二次転写の前のトナー像の濃度が計測できる位置に配置されている。クリーニング装置２００は、中間転写ベルト２７から印刷媒体上へのトナーの転写後に中間転写ベルト２７に残留する残留トナーを中間転写ベルト２７から除去することができる。印刷媒体は、画像形成媒体とも呼ばれる。
【００２１】
図３は、一実施形態に係る中間転写ベルト２７を示す説明図である。図３（ａ）は、中間転写ベルト２７の転写面２７Ｓを示している。転写面２７Ｓには、ベルトコーティング層（図示略）が形成されている。画像形成装置１は、転写面２７Ｓにおいて、第１境界２７Ｅ１と第２境界２７Ｅ２との間の範囲で印刷媒体が接触するように構成されている。印刷媒体は、転写面２７Ｓに接触した状態で駆動方向Ｄの方向に搬送されつつ２次転写が行われる。
【００２２】
転写面２７Ｓには、ＣＭＹＫ階調校正用調整パッチが形成され、校正用濃度センサ２８によって濃度が計測される２つのパッチ形成用領域Ｐ１，Ｐ２が設定されている。２つのパッチ形成用領域Ｐ１，Ｐ２は、駆動方向Ｄに対して垂直な方向の端部である第１境界２７Ｅ１，第２境界２７Ｅ２の近傍に、それぞれの中心線２７Ｔ１，２７Ｔ２を有して駆動方向Ｄに延びている。
【００２３】
図３（ｂ）は、中間転写ベルト２７の転写面２７Ｓの光沢度とトナー積算印字率（単に積算値とも呼ばれる。）との間の関係を示している。本願発明者は、ブラシクリーニング方式においては、ファーブラシ２１０上に堆積するトナーに含まれる特定の外添剤が中間転写ベルト２７に付着することで光沢度が下降する一方、印刷媒体である紙面に含まれる紙粉により中間転写ベルト２７のベルトコーティング層が研磨され光沢度が上昇することを見出した。
【００２４】
図３（ｂ）には、光沢度を示しているＣＭＹＫの各トナーの積算値と、光沢度曲線ＧＣと、初期光沢度Ｇｎと、基準光沢度Ｇｒとを示している。初期光沢度Ｇｎは、中間転写ベルト２７の初期状態における光沢度である。基準光沢度Ｇｒは、所定の閾値Ｔｈ（後述）を設定する際に使用される光沢度である。この例では、積算値は、第１境界２７Ｅ１から第２境界２７Ｅ２に向かって、４つの領域に等分され、トナー積算印字率が０％，５％，１０％及び１５％の各領域が形成されている。
【００２５】
光沢度曲線ＧＣは、トナー積算印字率が０％の領域でピークを有し、トナー積算印字率が大きくなるほど小さい値を有している。光沢度曲線ＧＣは、最大値が「１」となり、最小値が「０」となるように正規化されている。光沢度テーブルＧＴ（図１参照）は、トナー積算印字率と光沢度との間の関係を表す数値を格納している。
【００２６】
図４は、一実施形態に係る校正用濃度センサ２８の構成を示している。校正用濃度センサ２８は、拡散反射方式と正反射方式とを併用した濃度センサである（濃度計測モード）。拡散反射方式は、高濃度まで検出可能な方式としてＣＭＹのカラートナーに対して使用される。正反射方式は、中間転写ベルト２７の転写面２７Ｓを光学的な基準面とし、基準面からの正反射光量がＫのトナー付着により低下する度合いでトナー量を検出することができる。
【００２７】
校正用濃度センサ２８は、発光ダイオードＬＥＤと、拡散反射光検出用フォトダイオードＰＤ１と、正反射光検出用フォトダイオードＰＤ２とを有している。発光ダイオードＬＥＤは、中間転写ベルト２７の転写面２７Ｓに対して所定の確度で赤外光を出射する。拡散反射光検出用フォトダイオードＰＤ１は、赤外光が転写面２７Ｓで拡散反射（乱反射とも呼ばれる。）した拡散反射光を検出する。正反射光検出用フォトダイオードＰＤ２は、赤外光が転写面２７Ｓで正反射（鏡面反射）した正反射光を検出する。
【００２８】
校正用濃度センサ２８は、光沢度計測モードを有し、転写面２７Ｓの光沢度の計測にも利用可能である。転写面２７Ｓの光沢度が上昇すると、正反射しやすくなるからである。具体的には、校正用濃度センサ２８は、転写面２７Ｓの光沢度の上昇に応じて拡散反射光に対する正反射光の比率が上昇するからである。校正用濃度センサ２８は、たとえば拡散反射光に対する正反射光の比率を使用して転写面２７Ｓの光沢度を計測することができる。
【００２９】
図５は、一実施形態に係る画像形成装置１における光沢管理処理の内容を示すフローチャートである。光沢管理処理は、印刷ジョブの開始に応じて起動される。印刷ジョブの開始は、画像形成装置１の外部からの印刷ジョブの受信や複写における画像読取部５０による画像データＩＤを生成に応じて開始される。
【００３０】
ステップＳ１０では、制御部１０は、校正部として機能し、記憶部４０からトナー積算印字率ＴＤを読み出す。トナー積算印字率は、本光沢管理処理の起動前における転写面２７Ｓの２つのパッチ形成用領域Ｐ１，Ｐ２におけるトナー積算印字率を表している。トナー積算印字率は、所定期間内（たとえば所定印刷枚数内あるいは中間転写ベルト２７の所定回転数内）のトナー印字率をカウント（計算・加算）した値である。トナー印字率は、印刷媒体上の印刷可能領域における印刷率（「像密度」ともいう）を意味している。
【００３１】
ステップＳ２０では、制御部１０は、トナー印字率積算処理を実行する。トナー印字率積算処理では、制御部１０は、ＣＭＹＫのハーフトーンデータに基づいて印刷ページ毎のトナー印字率を生成し、印刷ジョブの全ページについて加算（カウント）する。ただし、印刷媒体のジャム等によって再印刷が実行された場合には、再印刷のハーフトーンデータに基づいて印刷ページ毎のトナー印字率が加算される。この例では、加算の際に所定期間から外れる旧データが削除されるので、トナー積算印字率ＴＤは、トナー印字率の移動平均値としての意義を有している。
【００３２】
ステップＳ３０では、制御部１０は、印刷ジョブの終了に応じて積算印字率記憶処理を実行する。これにより、記憶部４０には、最新状態のトナー積算印字率ＴＤが記憶されたことになる。
【００３３】
ステップＳ４０では、制御部１０は、積算印字率が予め設定されている閾値Ｔｈ以上であるか否かを判断する。閾値Ｔｈは、光沢度テーブルＧＴに基づき、転写面２７Ｓの光沢度が過度とならないような値として設定されている。具体的には、制御部１０は、たとえば光沢度テーブルＧＴに格納されている数値群に基づく近似曲線を生成し、転写面２７Ｓの光沢度が基準光沢度Ｇｒ（図３（ｂ）参照）を超えていることを判定するための値として閾値Ｔｈを設定する。基準光沢度Ｇｒは、校正精度の確保の観点から設定することが好ましい。
【００３４】
制御部１０は、積算印字率が閾値Ｔｈ以上であると判断した場合には処理を完了し、積算印字率が閾値Ｔｈ未満であると判断した場合には、処理をステップＳ５０に進める。積算印字率が閾値Ｔｈ未満である場合には、ファーブラシ２１０上に堆積するトナーに含まれる外添剤が少なくなっているため、中間転写ベルト２７のベルトコーティング層が研磨され光沢度が上昇していることが推測される。
【００３５】
ステップＳ５０では、制御部１０は、印刷ジョブが存在しない場合に、すなわち非印刷処理時（画像形成の非実行時）に光沢低減用パッチ形成処理を実行する。光沢低減用パッチ形成処理は、画像形成や校正処理を目的とするのではなく、ファーブラシ２１０上に外添剤を堆積させるためのパッチ形成処理である。
【００３６】
制御部１０は、ＣＭＹＫ階調校正用調整パッチ（単に校正用パッチとも呼ばれる。）が形成される所定位置に光沢低減用パッチを形成する。光沢低減用パッチ形成処理は、印刷媒体を供給することなく行われる。光沢低減用パッチ形成処理は、光沢低減用のトナー像を形成させるものであればよく、トナー像の形状を問わない。
【００３７】
ステップＳ６０では、制御部１０は、光沢度計測処理を実行する。光沢度計測処理では、制御部１０は、印刷媒体を供給することなく中間転写ベルト２７を少なくとも１回転させた後に校正用濃度センサ２８を使用して転写面２７Ｓの光沢度を計測する。
【００３８】
ステップＳ７０では、制御部１０は、積算値調整処理を実行する。積算値調整処理では、制御部１０は、光沢低減用パッチのトナー印字率を加算することによって積算値を調整する。
【００３９】
ステップＳ８０では、制御部１０は、調整後の積算値をトナー積算印字率ＴＤとして記憶部４０に記憶する。制御部１０は、調整後の積算値とステップＳ６０で計測された光沢度とを光沢度テーブルＧＴに格納（すなわち更新）する。制御部１０は、更新された光沢度テーブルＧＴを使用して閾値Ｔｈを再設定（調整）してトナー積算印字率ＴＤの一部として格納する。これにより、制御部１０は、実測された光沢度をフィードバックして閾値Ｔｈを調整することができることになる。
【００４０】
このように、一実施形態に係る画像形成装置１によれば、転写面２７Ｓの光沢度の過度の上昇を推定又は予測し、ＣＭＹＫ階調校正用調整パッチが形成される所定位置に光沢低減用パッチを形成する。これにより、画像形成装置１は、ファーブラシ２１０上に外添剤を堆積させて紙粉に起因する過度の光沢を低減させることができる。この結果、画像形成装置１は、ＣＭＹＫ階調校正用調整パッチを使用する校正の精度を高めて画質を向上させることができる。
【００４１】
本発明は、上記実施形態だけでなく、以下のような変形例でも実施することができる。
【００４２】
変形例１：上記実施形態では、制御部１０は、積算印字率が閾値Ｔｈ未満であると判断した場合に、印刷ジョブが存在しないタイミングで、すなわち非印刷処理時に光沢低減用パッチ形成処理を実行する。
【００４３】
しかしながら、光沢低減用パッチ形成処理は、このようなタイミングでの実行に限定されず、積算印字率が閾値Ｔｈ未満であると判断された後、ＣＭＹＫ階調校正用調整パッチを使用する校正処理の前にその前処理として実行してもよい。すなわち、光沢低減用パッチ形成処理は、積算印字率が閾値Ｔｈ未満であると判断されてから校正処理までに実行すればよい。転写面２７Ｓの過度の光沢は、直ちに画質劣化を引き起こすものではなく、ＣＭＹＫ階調校正用調整パッチを使用する校正処理に対して影響を与えるものだからである。
【００４４】
変形例２：上記実施形態では、中間転写ベルト２７は、ウレタン系材料を含み、それをベースとする弾性材料で製造された弾性ベルトとして構成されているが、必ずしもウレタン系材料を含む弾性ベルトに限定されない。本発明で使用可能な中間転写ベルトは、印刷媒体の紙粉に起因して光沢度が上昇し、トナーに含まれる外添剤の供給によって光沢度を低減させることができるものであればよい。ただし、ウレタン系材料を含む弾性材料については、本願発明者によって、本発明の効果が確認されている。
【００４５】
変形例３：上記実施形態では、校正用濃度センサ２８は、拡散反射光を検出する拡散反射光検出用フォトダイオードＰＤ１と、正反射光を検出する正反射光検出用フォトダイオードＰＤ２とを有しているが、このような構成に限定されない。本発明で使用可能な校正用濃度センサは、正反射光と拡散反射光を検出し、比較的に正反射光を多く検知する第１の受光部と、比較的に拡散反射光を多く検知する第２の受光部とを有し、各検出値を出力可能なものであればよい。これにより、中間転写ベルト２７の光沢度を計測することができるからである。
【符号の説明】
【００４６】
１  画像形成装置
１０  制御部
２０  画像形成部
２１  色変換処理部
２２  ハーフトーン処理部
２７  中間転写ベルト
２８  校正用濃度センサ
２９  露光部
３０ｃ〜３０ｋ  感光体ドラム
４０  記憶部
５０  画像読取部
６０  給紙カセット
７０  筐体
１００ｃ〜１００ｋ  現像部
【図１】
2019040125.tif 000003
【図２】
2019040125.tif 000004
【図３】
2019040125.tif 000005
【図４】
2019040125.tif 000006
【図５】
2019040125.tif 000007